(57)【特許請求の範囲】
【請求項１】
熱交換器の組立てライン外で、予め強度メンバーを構成する剛性の高いサポート材(4)に、ベンド管(6)の外直径よりわずかに小なる口径の多数のチューブ挿通孔を穿設し、その一対づつのチューブ挿通孔(5)のみに、複数の短いＵ字状チューブからなる前記ベンド管(6)の両脚部を圧入して、貫通固定し、ベンド管付きサポート材(4)を形成する準備工程と、
小隙を有して並列された多数のプレートフィン(1)のチューブ挿通孔に、複数のチューブ(2)を挿通してコア(3)を形成する工程と、
熱交換器の組立てライン中で、前記ベンド管付きサポート材(4)を前記コア(3)の端面に配置して、各ベンド管(6)の両脚部を前記コア(3)の各チューブ(2)の端部のみに同時に嵌着させる工程と、
各チューブ(2)の端部とベンド管(6)の脚部との嵌着部をろう付けする工程と、を具備する熱交換器の製造方法。
【請求項２】
請求項１において、
サポート材(4)のチューブ挿通孔(5)の孔縁部を前記コア(3)側にバーリング加工し、そのバーリング加工部(8)に前記ベンド管(6)の脚部を圧入したことを特徴とする熱交換器の製造方法。
【発明の詳細な説明】
【技術分野】
【０００１】
本発明は、主として空調用のプレートフィン型熱交換器の製造方法に関し、特に生産ラインの組付けを簡略化することに関する。
【背景技術】
【０００２】
プレートフィンタイプの空調用熱交換器は、小隙を有して多数のプレートフィンを並列するとともに、その並列方向両端に強度メンバーとなるサポート材を配置する。そして、各サポート材およびプレートフィンに予め穿設された多数のチューブ挿通孔に長尺なＵ字状のチューブを多数挿入する。そして、各チューブ端からチューブの直線部に拡開治具を圧入し、チューブを拡開してその外周を各チューブ挿通孔に圧着固定する。次いで各チューブ端のみをさらに拡開して、コアを形成する。次いで、各コアのチューブ端に短いＵベンド管の両脚部を多数嵌着する。次いで、各嵌着部をろう付け固定する。
このような各工程は、熱交換器の組立てラインにおいて順次行われるものである。
【発明の開示】
【発明が解決しようとする課題】
【０００３】
上記組立工程において特に、コアの各チューブ端にＵ字状の短いベンド管を多数嵌着する作業に多くの時間を要し、結果として熱交換器組立てラインにおける生産効率が低下していた。
そこで本発明は生産ラインにおける組付けを簡略化して、生産効率を向上させることを目的とする。
【課題を解決するための手段】
【０００４】
請求項１に記載の本発明は、熱交換器の組立てライン外で、予め強度メンバーを構成する剛性の高いサポート材(4)に、ベンド管(6)の外直径よりわずかに小なる口径の多数のチューブ挿通孔を穿設し、その一対づつのチューブ挿通孔(5)のみに、複数の短いＵ字状チューブからなる前記ベンド管(6)の両脚部を圧入して、貫通固定し、ベンド管付きサポート材(4)を形成する準備工程と、
小隙を有して並列された多数のプレートフィン(1)のチューブ挿通孔に、複数のチューブ(2)を挿通してコア(3)を形成する工程と、
熱交換器の組立てライン中で、前記ベンド管付きサポート材(4)を前記コア(3)の端面に配置して、各ベンド管(6)の両脚部を前記コア(3)の各チューブ(2)の端部のみに同時に嵌着させる工程と、
各チューブ(2)の端部とベンド管(6)の脚部との嵌着部をろう付けする工程と、を具備する熱交換器の製造方法である。
【０００５】
請求項２に記載の本発明は、請求項１において、
サポート材(4)のチューブ挿通孔(5)の孔縁部を前記コア(3)側にバーリング加工し、そのバーリング加工部(8)に前記ベンド管(6)の脚部を圧入したことを特徴とする熱交換器の製造方法である。
【発明の効果】
【０００６】
本発明の熱交換器の製造方法は、組立てライン外で、予め強度メンバーを構成する剛性の高いサポート材４に、ベンド管６外直径よりわずかに小なる口径の多数のチューブ挿通孔を穿設し、その一対づつのチューブ挿通孔５のみに、ベンド管６の両脚部を圧入して、貫通固定し、ベンド管付きサポート材４を形成し、組立てライン中でそのベンド管付きサポート材４をコア３の端面に配置して、ベンド管６の両脚部をコア３の各偏平チューブ２の端部に同時に嵌着させることとしたので、熱交換器の組立てラインの生産効率が飛躍的に向上する。
【０００７】
そして、サポート材４のチューブ挿通孔５の孔径をベンド管６の脚部外形よりわずかに小に形成し、そのチューブ挿通孔５にベンド管６の両脚部を圧入して固定したので、ベンド管６とサポート材４とを容易に一体化し、そのまま一体としてコア３の各偏平チューブ２の端部に同時に各ベンド管６の両脚部をワンタッチで嵌着させることができる。
上記構成において、そのチューブ挿通孔５の孔縁部をコア３側にバーリング加工し、そこにベンド管６の脚部を圧入した場合には、ベンド管付きサポート材４をコア３の各偏平チューブ２に嵌着する際、バーリング加工部８の存在により各ベンド管６がサポート材４のチューブ挿通孔５から移動することを効果的に防止できる。
【発明を実施するための最良の形態】
【０００８】
次に図面に基づいて本発明の実施の形態につき説明する。図１は本発明の熱交換器の製造方法の準備工程を示し、図２はその組立てラインにおける第１工程を示し、図３は同第２工程を示す要部縦断面図である。
【０００９】
この熱交換器の製造方法は先ず、強度メンバーであるサポート材４に予め多数のチューブ挿通孔５を定間隔で穿設しておく。このチューブ挿通孔５の孔径は、そこに挿入される短いベンド管６の外直径よりわずかに小にしておく。なお、チューブ挿通孔５の孔縁部を図３に示すごとく、コア３側にバーリング加工したバーリング加工部８を予め形成しておくことが好ましい。このバーリング加工部８における孔径もベンド管６の脚部外形よりわずかに小に形成する。
【００１０】
そして、軸線がＵ字状に曲折された短いベンド管６をそれぞれのチューブ挿通孔５に圧入する。それにより、多数のベンド管６とサポート材４とが一体化される。特にチューブ挿通孔５にバーリング加工部８を有する場合には、バーリング加工部８の存在により、それが爪となり、ベンド管６がチューブ挿通孔５から抜出る方向に移動する場合には、その爪がベンド管６の外周に食い込み、その抜けを防止できる。
サポート材４はこの例では断面コ字状に形成され、チューブ挿通孔５が千鳥状に２列に配置されている。なお、チューブ挿通孔５は３列以上に形成されていてもよい。さらに、この例では図示していないが、一部のベンド管６の換わりに、サポート材４の一部のチューブ挿通孔５には冷媒の入口パイプおよび出口パイプが接続される。
【００１１】
このようにして、ベンド管６付きサポート材４を予め生産ライン外で製造しておく。この場合、平板状で剛性が高い一枚のサポート材４の各チューブ挿通孔５にベンド管６の両脚部を圧入するものであるから、比較的効率よくベンド管６付きサポート材４を製造することができる。
なお、コア３は従来の製造方法と同様に多数のプレートフィン１を小隙を有して並列しておき、その積層方向の一方の端部にはサポート材4aを配置する。そして、この例では軸線がＵ字状の長尺なチューブ２を各チューブ挿通孔に多数挿通する。そして、チューブ２の開口端より拡開治具を挿通し、チューブ２外周をプレートフィン１のチューブ挿通孔に圧着固定する。それと共にチューブ２の端部に拡開部2aを形成する。
【００１２】
そして、生産ラインにおいてコア３の拡開部2aの側端面にベンド管６付きサポート材４を被嵌し、各ベンド管６の両脚部を各拡開部2aに同時に嵌着する。次いで、その組立て状態で高温の炉内に挿入し、予め付着または配置されたろう材によって、ベンド管６の両脚部と拡開部2aとの間、並びにサポート材４のチューブ挿通孔５とベンド管６の外周とを一体にろう付けして図３の如く、ろう材７を形成し、熱交換器を完成する。
なお、この例でベンド管６の板厚はチューブ２のそれよりも厚く形成し、ベンド管６をサポート材４に圧入する際、ベンド管６が変形するのを防止している。また、ろう付けは前記のような炉内ろう付けの他に、トーチろう付けによってろう材７のフィラーを形成してもよい。その場合にはサポート材４と拡開部2aの端部との間隔をある程度設ける必要がある。
【図面の簡単な説明】
【００１３】
【図１】本発明の製造方法における準備工程を示す説明図。
【図２】同製造方法の生産ラインにおける組立工程を示す説明図。
【図３】同組立て後にろう付けを行った状態を示す要部縦断面図。
【符号の説明】
【００１４】
１  プレートフィン
２  チューブ
2a  拡開部
３  コア
４  サポート材
4a  サポート材
５  チューブ挿通孔
６  ベンド管
７  ろう材
８  バーリング加工部
【図１】
0005107641.tif 000002
【図２】
0005107641.tif 000003
【図３】
0005107641.tif 000004